(57)【要約】【課題】簡単な構造でスムーズに動作できる。【解決手段】両足を載せるボード本体１１の底部で、中心軸Ｏの両端側の一方に、ボード本体を介して一方の足を揺動自在に支持する支点部１２を設けるとともに、他方に、ボード本体を介して他方の足を移動自在に支持する転動部１３を設け、転動部１３に、ガイド部材２２を介してバランスローラ２１を中心軸Ｏの両側に転動自在に配置し、ガイド部材２２は、バランスローラ２１が転動自在に案内されるガイド溝２３と、このガイド溝２３にバランスローラ２１を保持するローラ支持具２４とを設けた。【選択図】図１
2014108308.tif 000002
【特許請求の範囲】
【請求項１】
両足を載せるボード本体の底部で、中心軸の両端側の一方に、ボード本体を介して一方の足を揺動自在に支持する支点部を設けるとともに、他方に、ボード本体を介して他方の足を移動自在に支持する転動部を設け、
前記転動部に、輪体が前記中心軸の両側に転動するのを案内するガイド部材を設け、
前記ガイド部材は、輪体の転動を案内する転動案内部と、当該転動案内部に輪体を保持する輪体支持具とを設けた
ことを特徴とするバランス感覚用練習具。
【請求項２】
ガイド部材に、輪体を中心軸側に付勢する輪体復元部を設け、
当該輪体復元部は、転動案内部で輪体の頂部を案内する傾斜ガイド面が、中心軸近傍でボード本体の上面に接近し、かつ中心軸から離れるほどボード本体の上面から離間するように形成された
ことを特徴とする請求項１記載のバランス感覚用練習具。
【請求項３】
ガイド部材に、輪体を中心軸側に付勢する輪体復元部を設け、
当該輪体復元部を、輪体を中心軸側に付勢する輪体付勢具により構成した
ことを特徴とする請求項１または２記載のバランス感覚用練習具。
【請求項４】
転動案内部で輪体の頂部を案内するガイド面が、前記支点部の近傍位置を中心とする円弧状に形成された
ことを特徴とする請求項１乃至３のいずれかに記載のバランス感覚用練習具。
【請求項５】
輪体支持具は、輪体の軸心穴に遊嵌する支軸と、当該支軸の少なくとも一方の端部を、転動方向に移動自在に案内する軸案内保持部とを具備した
ことを特徴とする請求項１乃至４のいずれかに記載のバランス感覚用練習具。
【請求項６】
転動案内部の両端部に、輪体の移動限となる転動規制部を設けるとともに、当該転動規制部の外側に、ボード本体の傾動限で床面と接触する傾動限用ローラを設けた
ことを特徴とする請求項１乃至５のいずれかに記載のバランス感覚用練習具。
【発明の詳細な説明】
【技術分野】
【０００１】
本発明は、スケートボードやサーフィンボード、スノーボードなどのボードスポーツや、あるいはエクササイズのために使用するバランス感覚用練習具に関する。
【背景技術】
【０００２】
たとえば特許文献１には、ボード本体の両端側に、それぞれ半球体状の支点部を設け、試技者が両足をボード本体の各支点部上に載せて乗り、バランス感覚を養うものが開示されている。しかしながら、通常のボードスポーツでは、利き足を支点として、利き足と反対側の足でボード本体を回動させ、方向転換する動作が多いが、この特許文献１では、利き足反対側の支点部の半球体を床面から一旦浮かせて回動させる必要があり、実際のボードスポーツでは、浮かせずに回動させる動作が多く、十分なボードスポーツの練習にならないという問題があった。
【０００３】
このため、一方の支点部を半球体とし、他方の支点部にローラを配置したものが、特許文献２に提案されている。このローラは、一方の支点部側に揺動ロッドの固定端部を回動自在に取り付け、揺動ロッドの遊端部にローラの軸部を連結したものである。これにより、ローラが床面とボード本体の間を転動して、ボード本体を浮かせることなく、一方の支点部を中心に回動させることができる。
【先行技術文献】
【特許文献】
【０００４】
【特許文献１】特許第３４２２９５８号
【特許文献２】米国特許公報ＵＳ７，４８８，１７７Ｂ２
【発明の概要】
【発明が解決しようとする課題】
【０００５】
しかしながら、揺動ロッドが存在するために構造が複雑になる。またローラの動作が揺動ロッドに規制されて不自然な動きになりやすいなどの問題があった。
本発明は上記問題点を解決して、揺動ロッドも不要な簡単な構造で、スムーズに動作できるバランス感覚用練習具を提供することを目的とする。
【課題を解決するための手段】
【０００６】
請求項１記載の発明は、両足を載せるボード本体の底部で、中心軸の両端側の一方に、ボード本体を介して一方の足を揺動自在に支持する支点部を設けるとともに、他方に、ボード本体を介して他方の足を移動自在に支持する転動部を設け、
前記転動部に、輪体が前記中心軸の両側に転動するのを案内するガイド部材を設け、
前記ガイド部材は、輪体の転動を案内する転動案内部と、当該転動案内部に輪体を保持する輪体支持具とを設けたものである。
【０００７】
請求項２記載の発明は、請求項１記載の構成において、
ガイド部材に、輪体を中心軸側に付勢する輪体復元部を設け、
当該輪体復元部は、転動案内部で輪体の頂部を案内する傾斜ガイド面が、中心軸近傍でボード本体の上面に接近し、かつ中心軸から離れるほどボード本体の上面から離間するように形成されたものである。
【０００８】
請求項３記載の発明は、請求項１記載の構成において、
ガイド部材に、輪体をボード本体の中心軸側に付勢する輪体復元部を設け、
当該輪体復元部を、輪体を中心軸側に付勢する輪体付勢具により構成したものである。
【０００９】
請求項４記載の発明は、請求項１乃至３のいずれかに記載の構成において、
転動案内部で輪体の頂部を案内するガイド面が、前記支点部の近傍位置を中心とする円弧状に形成されたものである。
【００１０】
請求項５記載の発明は、請求項１乃至４のいずれかに記載の構成において、
輪体支持具は、輪体の軸心穴に遊嵌する支軸と、当該支軸の少なくとも一方の端部を、転動方向に移動自在に案内する軸案内保持部とを具備したものである。
【００１１】
請求項６記載の発明は、請求項１乃至５のいずれかに記載の構成において、
転動案内部の両端部に、輪体の移動限となる転動規制部を設けるとともに、当該転動規制部の外側に、ボード本体の傾動限で床面と接触する傾動限用ローラを設けたものである。
【発明の効果】
【００１２】
請求項１記載の発明によれば、転動部に、転動案内部と輪体支持部とを有するガイド部材を設けて、輪体を転動自在に案内、保持するようにしたので、従来の揺動ロッドも不要な簡単な構造で、スムーズに輪体を転動させて動作させることができる。
【００１３】
請求項２記載の発明によれば、輪体の頂部を案内する転動案内部のガイド面を傾斜状に形成した輪体復元部を設けたので、輪体が中心線上に戻ろうとする復元力が生じることで、ボード本体の揺動を安定して行うことができる。
【００１４】
請求項３記載の発明によれば、輪体を中心軸側に付勢する弾性部材からなる輪体復元部により、輪体が中心線上に戻ろうとする復元力が生じることで、ボード本体の揺動を安定して行うことができる。
【００１５】
請求項４記載の発明によれば、輪体を、底面視で円弧状のガイド面に沿って転動させることで、スムーズな輪体の転動が可能となる。
請求項５記載の発明によれば、輪体の軸心穴に遊嵌する支軸の一方の端部を、軸受案内保持部により移動自在に案内することで、輪体の転動をスムーズに案内することができる。
【００１６】
請求項６記載の発明によれば、転動案内部の両端側に傾動限用ローラを設けたので、ボード本体の傾動限で、ボード本体が傾動限用ローラを介して床面と接触させることができ、ボード本体や床面の損傷を防止できるとともに、傾動限用ローラの転動によりスムーズな接触状態となる。
【図面の簡単な説明】
【００１７】
【図１】本発明に係るバランス感覚用練習具の実施例１を示す底面側の斜視図である。
【図２】バランスローラ部の拡大縦断面図である。
【図３】ボード本体の底面図である。
【図４】ボード本体の側面図である。
【図５】（ａ）および（ｂ）は図３に示す断面図で、（ａ）はＡ−Ａ断面図、（ｂ）はＢ−Ｂ断面図である。
【図６】（ａ）および（ｂ）はそれぞれボード本体の傾動限を示す転動部の正面図である。
【図７】本発明に係るバランス感覚用練習具の実施例２を示す転動部の横断面図である。
【図８】図７に示すＣ−Ｃ断面図である。
【図９】ボード本体の傾動限を示す転動部の正面図である。
【図１０】本発明に係るバランス感覚用練習具の実施例２を示す転動部の縦断面図である。
【発明を実施するための形態】
【００１８】
［実施例１］
以下、本発明に係るバランス感覚用練習具の実施例１を図１〜図６に基づいて説明する。
【００１９】
平面視で略舟形状に形成されたボード本体１１の底部に、中心軸Ｏの両端側の一方（図右方）に支点部１２が設けられるとともに、他方に転動部１３が設けられている。
支点部１２は、ボード本体１１を介して一方の足（利き足）を揺動自在に支持するもので、支点部１２にたとえば半球体状の支点部材１２ａが取り付けられている。転動部１３は、中心軸Ｏの両端側の他方で、バランスローラ（輪体）２１を介して他方の足を支持するもので、転動部１３に、ガイド部材２２を介してバランスローラ２１が中心軸Ｏの両側に所定範囲で転動自在に配置されている。図５に示すように、ボード本体１１は、前記支点部材１２ａとバランスローラ２１とで、ボード本体１１が床面（路面）Ｆに平行なバランス姿勢と、図６に示すように、支点部材１２ａとバランスローラ２１の床面Ｆとの接地線を中心として揺動された揺動姿勢との間で揺動される。
【００２０】
ガイド部材２２は、バランスローラ２１が転動自在に案内されるガイド溝（転動案内部）２３と、ガイド溝２３にバランスローラ２１を転動自在に保持するローラ支持具（輪体支持具）２４と、バランスローラ２１を中心軸Ｏ側に付勢する輪体復元部２５と、を具備している。
【００２１】
バランスローラ２１は、ローラ本体２１ａの軸心に比較的大径の軸心穴２１ｂが形成された円筒体状に形成され、軸心穴２１ｂの頂部または頂部近傍に支軸２１ｃが遊嵌されている。
【００２２】
前記ガイド溝２３は、ガイド部材２２に中心軸Ｏの両側に形成されてバランスローラ２１の頂部を案内するものである。このガイド溝２３は、底面視で中心軸Ｏに直交する直線状でもよいが、ここでは、支点部１２の底部またはその近傍位置を中心とする円弧状に形成されている。
【００２３】
ローラ支持具２４は、ガイド部材２２の他端面に沿って立設されたローラ案内板３２により構成されている。このローラ案内板３２は、支軸２１ｃの他端部を移動自在に案内する転動用長穴（軸案内保持部）３２ａがガイド溝３２に沿って形成されている。支軸２１ｃの他端側には、ローラ本体２１ａの軸心穴２１ｂのエッジに沿って転動自在なガイドスリーブ２１ｄが回転自在に外嵌され、また支軸２１ｃの他端部に、転動用長穴３２ａに抜け止めされる鍔部２１ｅが形成されている。
【００２４】
輪体復元部２５は、バランスローラ２１を案内する傾斜ガイド面３３と、バランスローラを付勢するローラ付勢具３４の、少なくとも一方から構成されている。
前記傾斜ガイド面３３は、ガイド溝２３の天面でバランスローラ２１の頂部を案内するもので、この傾斜ガイド面３３は、中心軸Ｏ近傍がボード本体１１の上面に接近し、かつ中心軸Ｏから離れるほどボード本体１１の上面から勾配Ｌだけ離間する傾斜状に形成されている。したがって、バランスローラ２１が中心軸Ｏから離れた位置になると、試技者の体重が、ボード本体１１から傾斜ガイド面３３を介してバランスローラ２１に負荷されることにより、傾斜ガイド面３３の作用でバランスローラ２１が中心軸Ｏに向かって転動する。
【００２５】
ここで、傾斜ガイド面３３は、平坦状であっても、径の大きい円弧面であってもよい。
またローラ付勢具３４は、支軸２１ｃを支点部１２側に付勢する弾性部材３４ａを具備している。すなわち、ボード本体１１の底面で、支点部１２と転動部１３の間の中心軸Ｏ上に係止ロッド３４ｂが突設される。そして支軸２１ｃの一端部に回転自在に取り付けられた連結具３４ｃと、前記係止ロッド３４ｂの間に、ゴム材、コイルばねなどからなる弾性部材３４ａが連結されて構成されている。したがって、バランスローラ２１が中心軸Ｏから離れるほど、連結具３４ｃと係止ロッド３４ｂの間の距離が拡張されて弾性部材３４ａが引き伸ばされ、弾性部材３４ａの復元力により、バランスローラ２１が中心軸Ｏ側に付勢されて中心軸Ｏ上に復元される。
【００２６】
なお、輪体復元部２５の転動用長穴３２ａを、傾斜ガイド面３３と平行に、すなわち中心軸Ｏ近傍がボード本体１１の上面に接近し、かつ中心軸Ｏから離れるほどボード本体１１の上面から離間するように傾斜させることにより、バランスローラ２１の転動をスムーズに行うと同時に、バランスローラ２１を中心軸Ｏ側に付勢する復元力を生じさせることもできる。
【００２７】
またガイド溝２３の両側に、バランスローラ２１の支軸２１ｃを案内するガイド長穴３２ａが形成されたローラ案内板３２をそれぞれ設けてもよい。
前記ガイド部材２２でガイド溝２３の両端部に、バランスローラ２１の転動を規制する転動規制部３５がそれぞれ形成されている。またその外側に、ボード本体１１の傾動限で床面Ｆと接触する傾動限用ローラ３６が中心軸Ｏと平行な軸心周りに回転自在にそれぞれ設けられている。
【００２８】
上記構成において、試技者のたとえば右足（利き足）をボード本体１１の一端（支点部１２）側に載せ、左足を転動部１３上のボード本体１１に載せる。そして、試技者が体重移動により、ボード本体１１を水平姿勢に保ち、さらに体重移動することで、ボード本体１１を揺動させバランスローラ２１を左右に転動させて、ボードスポーツのバランス感覚を養うことができる。
【００２９】
上記実施例１によれば、転動部１３に、バランスローラ２１を案内するガイド溝２３と、ローラ支持具２４を有するガイド部材２２を設けて、ガイド部材２２にバランスローラ２１を転動自在に支持するようにしたので、簡単な構造でスムーズにバランスローラ２１を操作することができる。
【００３０】
またバランスローラ２１の頂部を案内するガイド溝２３に、中心軸ほどボード本体１１の上面に接近する傾斜ガイド面３３を形成した輪体復元部２５を設けたので、重力によりバランスローラ２１が中心線Ｏ側に戻ろうとする復元力が生じ、これによりボード本体１１に安定して乗ることができる。
【００３１】
さらにバランスローラ２１を中心軸Ｏ側に付勢する弾性部材３４ａからなる輪体復元部２５により、ボード本体１１上の試技者の姿勢を安定させることができる。
さらにまた、バランスローラ２１が底面視で円弧状のガイド溝２３に沿って転動することで、スムーズなバランスローラ２１の転動が可能となる。もちろん、ガイド溝２３に沿う円弧方向の移動をスムーズに行うために、バランスローラ２１を円錐台形に形成してもよい。
【００３２】
そして、バランスローラ２１の軸心穴２１ｂに遊嵌する支軸２１ｃの一方の端部を、軸受案内保持部により移動自在に案内することで、輪体の転動をスムーズに案内することができる。
【００３３】
また、ガイド溝の両端側に傾動限用ローラ３６を設けたので、ボード本体１１の傾動限で、ボード本体１１が傾動限用ローラ３６を介して床面Ｆと接触させることができ、ボード本体１１や床面Ｆの損傷を防止できるとともに、傾動限用ローラ３６の転動によりスムーズな接触状態となる。
【００３４】
［実施例２］
図７〜図９は、バランス感覚用練習具の実施例２を示す。なお、実施例１と同一部材には同一符号を付して説明を省略する。
【００３５】
バランスローラ４１は、所定間隔をあけて配置された左右一対の分割ローラ４１ａ，４１ａが、軸穴に嵌合された支軸４１ｂにより回転自在に連結されて構成されている。またバランスローラ４１には、ガイド部材２２の中央底部で中心軸Ｏ上の連結点４２ａと、支軸４１ｂに外嵌されたスリーブ４１ｃとの間に、コイルばねなどからなる伸縮支持具４２が連結されている。この伸縮支持具４２により、バランスローラ４１を中心軸Ｏ側に付勢するとともに、ガイド部材２２にバランスローラ４１を転動自在に保持する輪体支持具と、バランスローラ４１を中心軸Ｏに付勢する輪体復元部とが兼用されている。もちろん、輪体復元部としての傾斜ガイド面３３も形成されている。
【００３６】
上記実施例２によれば、実施例１と同様の効果を奏することができ、さらに構造も容易となる。
［実施例３］
図１０は、実施例１では、輪体支持具であるローラ案内板３２を設けたが、実施例３では、ローラ案内板３２に替えて、支軸２１ｃの両端部から伸びる保持ロッド部５２と、これら保持ロッド部５２の端部に形成された摺動部５２ａを介してバランスローラ２１を案内する一対のガイド凹部５１とを設けたものである。
【００３７】
ガイド凹部５１は、ガイド部材２２の前後側面に、ガイド溝２３に沿って形成されている。保持ロッド部５２は、支軸２１ｃの両端部から取付部材５３を介してガイド部材２２に伸び、摺動部５２ａがガイド凹部５１に移動自在に嵌合している。
【００３８】
上記実施例２によれば、実施例１と同様の効果を奏することができる。
【符号の説明】
【００３９】
Ｏ    中心軸
Ｆ    床面
１１    ボード本体
１２    支点部
１２ａ  支点部材
１３    転動部
２１    バランスローラ（輪体）
２１ａ  ローラ本体
２１ｂ  軸心穴
２１ｃ  支軸
２２    ガイド部材
２３    ガイド溝（転動案内部）
２４    ローラ支持具（輪体支持具）
２５    輪体復元部
３２    ローラ案内板
３２ａ  転動用長穴（軸案内保持部）
３３    傾斜ガイド面
３４    ローラ付勢具（輪体付勢具）
３４ａ  弾性部材
３５    転動規制部
３６    傾動限用ローラ
４１    バランスローラ
４１ａ  分割ローラ
４１ｂ  支軸軸
４２    伸縮支持具（輪体支持具、輪体付勢具）
５１    ガイド凹部
５２    保持ロッド部
５２ａ  摺動部
【図１】
2014108308.tif 000003
【図２】
2014108308.tif 000004
【図３】
2014108308.tif 000005
【図４】
2014108308.tif 000006
【図５】
2014108308.tif 000007
【図６】
2014108308.tif 000008
【図７】
2014108308.tif 000009
【図８】
2014108308.tif 000010
【図９】
2014108308.tif 000011
【図１０】
2014108308.tif 000012